(57)【要約】【課題】本発明は、空間形成物を形成する新規の単位部材の提案にある。【解決手段】本発明は、盤体の上面に複数の突部が、突部間の隙間が盤体の中心に対しＸ、Ｙ方向に向くように設けられ、かつ、上下に積み重ね可能とする契合部を有する部材１と、平板でその両端が、前記部材１が積み重ねられて柱を形成するとき、柱として対向する部材１の突部間の隙間に端部が挿入される部材２とからなり、部材１と部材２のいずれか又は両方に部材１を積み重ねて形成される柱間の距離を固定する固定部が設けられる柱形成用の部材１と梁及び壁形成用の部材２とで形成された空間形成物である。【選択図】図1
2012036714.tif 000002
【特許請求の範囲】
【請求項１】
盤体の上面に複数の突部が、突部間の隙間が盤体の中心に対しＸ、Ｙ方向に向くように設けられ、かつ、上下に積み重ね可能とする契合部を有する部材１と、平板でその両端が、前記部材１が積み重ねられて柱を形成するとき、柱として対向する部材１の突部間の隙間に端部が挿入される部材２とからなり、部材１と部材２のいずれか又は両方に部材１を積み重ねて形成される柱間の距離を固定する固定部が設けられる柱形成用の部材１と梁及び壁形成用の部材２とで形成された空間形成物。
【発明の詳細な説明】
【技術分野】
【０００１】
本発明は、各種用途に使用される空間形成物にかかわる技術に属する。
【背景技術】
【０００２】
地下に単位部材を組立て、空間形成物を構成し、その周囲をシート類で覆った雨水等の流出抑制を目的とする、雨水貯留浸透施設が普及している。この目的のため各種の異なる形状の単位部材が例えば特開昭62-101097、特開昭62-126179、特開平9-296486、特開平10-252108、特開平10-115778、特開平11-43971、特開平11-222886などに提案且つ使用されている。いずれの方法も単位部材を地下に配列し、その周囲を透水性若しくは遮水性のシートで包み、その内部空間に雨水等を貯留する浸透・貯留施設とするものであった。
またかかる空間形成物にヘドロを充填し、その上部を駐車場あるいは公園などとして使用する提案も特開2004-313861になされている。
それらの単位部材に変わる新しい単位部材を用いた空間形成物の提案にある。
【先行技術文献】
【特許文献】
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【発明の概要】
【発明が解決しようとする課題】
【０００４】
本発明は、空間形成物を形成する新規の単位部材の提案にある。
【課題を解決するための手段】
【０００５】
本発明は、盤体の上面に複数の突部が、突部間の隙間が盤体の中心に対しＸ、Ｙ方向に向くように設けられ、かつ、上下に積み重ね可能とする契合部を有する部材１と、平板でその両端が、前記部材１が積み重ねられて柱を形成するとき、柱として対向する部材１の突部間の隙間に端部が挿入される部材２とからなり、部材１と部材２のいずれか又は両方に部材１を積み重ねて形成される柱間の距離を固定する固定部が設けられる柱形成用の部材１と梁及び壁形成用の部材２とで形成された空間形成物である。最少の部材で空間形成物の柱、梁、壁を形成できるよう、部材1と部材１を上記の形状とした。
【発明の効果】
【０００６】
本発明は、部材１を、盤体の上面に複数の突部が、突部間の隙間が盤体の中心に対しＸ、Ｙ方向に向くように設けられ、かつ、上下に積み重ね可能とする契合部を有するものとし、部材２を平板でその両端が、前記部材１が積み重ねられて柱を形成するとき、柱として対向する部材１の突部間の隙間に挿入可能とし、かつ部材１と部材２には部材1を積み重ねた柱間の距離を固定する固定部を設けたため、空間形成物の水平方向からの力に対抗できるようになる。
部材１と部材２で空間形成物が構築できる。
【図面の簡単な説明】
【０００７】
【図１】は、部材１と部材２の第１の例を示す概念図である。
【図２】は、部材１と部材２の第２の例を示す概念図である。
【図３】は、部材１と部材２の第３の例を示す概念図である。
【図４】は、部材１と部材２の第４の例を示す概念図である。
【図５】は、部材１と部材２の第５の例を示す概念図である。
【図６】は、部材１と部材２の第６の例を示す概念図である。
【図７】は、図１に示す部材１、部材２を用いた組立て方法の例を示す概念図である。
【図８】は、図１に示す部材１、部材２を用いた空間形成物の第1段目と多段に組んだ断面図を示す概念図である。
【図９】は、図２に示す部材１、部材２を用いた組立て方法の例を示す概念図である。
【図１０】は、図２に示す部材１、部材２を用いた空間形成物の第1段目と多段に組んだ断面図を示す概念図である。
【図１１】は、図３に示す部材１、部材２を用いた組立て方法を示す概念図である。
【図１２】は、図４に示す部材１、部材２を用いた組立て方法を示す概念図である。
【図１３】は、図５に示す部材１、部材２を用いた組立て方法を示す概念図である。
【図１４】は、図４に示す部材１、部材２を用いた空間形成物の第1段目と多段に組んだ断面図を示す概念図である。
【図１５】は、図６に示す部材１、部材２を用いた組立て方法を示す概念図である。
【図１６】は、図６に示す部材１、部材２を用いた空間形成物の第1段目と多段に組んだ断面図を示す概念図である。
【図１７】は、図１に示す部材１、部材２を用いた空間形成物の天井部を示す概念図である。
【図１８】は、図４に示す部材１、部材２を用いた空間形成物の天井部を示す概念図である。
【図１９】は、図６に示す部材１、部材２を用いた空間形成物の天井部を覆った状態を示す概念図である。
【図２０】は、空間形成物を雨水等の貯留浸透槽として使用する例を示す。
【図２１】は、空間形成物をヘドロ処理施設として使用する例を示す。
【図２２】は、空間形成物を空洞部崩壊防止手段として使用する例を示す。
【発明を実施するための形態】
【０００８】
以下本発明を、図を用いて、より詳細に説明する。
図１は、部材１と部材２との組合せの一番目の例を示す。
図は柱部を上方に向けた状態と、下方に向けた状態を示している。
図１ａは、上面から見た部材１の平面図およびＡ−Ａ‘での断面図である。
図１ｂは、下面から見た部材1の平面図およびＡ−Ａ‘での断面図である。
図１ｃは、部材２の平面図および断面図である。
図１に示す部材１は、盤体の上面より４本の柱部が中心を対称にしてＸ、Ｙ方向に配列され、下面には前記柱部の頂部が挿入可能な凹部と、後述する部材２の端部上縁部が嵌る十字状の溝が端から端まで上面の柱部間の隙間に合わせて形成されている。下面に設けた凹部と上面に設けた柱部の頂部が部材１を積み重ねる契合部となる。
図では柱部は直方体であり、柱部と柱部が形成する隙間および下面に設けた溝に平板状の部材２の端部および端部上縁が嵌るようになっている。
【０００９】
図１ｃに示す部材２は平板状であり、その厚みは部材１の柱部と柱部が形成する隙間と部材１の裏面に設けた溝に嵌る厚みに設定されている。部材２の下方は直角に切欠かれ、切欠かれた各一端が２つの上下に間隔を置いて存在する部材１の柱部間の隙間と部材１の下面に設けた溝に嵌るように挿入される。部材２の下方の短い部分が、部材１が形成する柱間距離を定める固定部となる。
【００１０】
図２は、部材１と部材２との組合せの二番目の例を示す。
図は柱部を上方に向けた状態と、下方に向けた状態を示している。
図２ａは、上面から見た部材１の平面図およびＡ−Ａ‘での断面図である。
図２ｂは、下面から見た部材1の平面図およびＡ−Ａ‘での断面図である。
図２ｃは、部材２の平面図および断面図である。
図１に示す部材１は、盤体の上面より５本の柱部が中心と中心を対称にしてＸ、Ｙ方向に配列され、下面には前記柱部の頂部が挿入可能な凹部と、後述する部材２の端部上縁部が嵌る十字状の溝が端から端まで上面の柱部間の隙間に合わせて形成されている。下面に設けた凹部と上面に設けた柱部の頂部が部材１を積み重ねる契合部となる。
図では柱部は直方体であり、柱部と柱部が形成する隙間および下面に設けた溝に平板状の部材２が嵌るようになっている。
【００１１】
図２ｃに示す部材２は平板状であり、その厚みは部材１の柱部と柱部が形成する隙間と部材１の裏面に設けた溝に嵌る厚みに設定されている。部材２の各一端が２つの上下に間隔を置いて存在する部材１の柱部間の隙間と部材１の下面に設けた溝に嵌るように挿入される。部材１の中心に設けた柱部が、部材１が形成する柱間距離を定める固定部となる。
【００１２】
図３は、部材１と部材２との組合せの三番目の例を示す。
図は柱部を上方に向けた状態と、下方に向けた状態を示している。
図３ａは、上面から見た部材１の平面図およびＡ−Ａ‘での断面図である。
図３ｂは、下面から見た部材1の平面図およびＡ−Ａ‘での断面図である。
図３ｃは、部材２の平面図および断面図である。
図３に示す部材１は、盤体の上面より４本の柱部が中心を対称にしてＸ、Ｙ方向に配列され、下面には前記柱部の頂部が挿入可能な凹部と、後述する部材２の端部上縁部が嵌る十字状の溝が端から端まで上面の柱部間の隙間に合わせて形成されている。盤体の中心は貫通孔となり、図では本貫通孔は、柱部間の中間まで広がり、契合用貫通孔となっている。下面に設けた凹部と上面に設けた柱部の頂部が部材１を積み重ねる契合部となる。
図では柱部は直方体であり、柱部と柱部が形成する隙間および下面に設けた溝に平板状の部材２の端部および端部上縁部が嵌るようになっている。
【００１３】
図３ｃに示す部材２は平板状であり、その厚みは部材１の柱部と柱部が形成する隙間と部材１の裏面に設けた溝に嵌る厚みに設定されている。部材２の両端下部には突部が設けられ、各突部が柱部間の中間まで広がっている契合用貫通孔に嵌るようになっている。部材２の両端および端部上縁部が上下に間隔を置いて存在する部材１の柱部間の隙間と部材１の下面に設けた溝に嵌るように挿入される。部材２の両端下部に設けた突部が、部材１が形成する柱間距離を定める固定部となる。
【００１４】
図４は、部材１と部材２との組合せの四番目の例を示す。
図は柱部を上方に向けた状態と、下方に向けた状態を示している。
図４ａは、上面から見た部材１の平面図およびＡ−Ａ‘での断面図である。
図４ｂは、部材1の柱部を上下に対向して組合せた状態を示す断面図である。
図４ｃは、部材１を上下に契合するための継手の例を示す。
図４ｄは、部材２の平面図および断面図である。
以下図４ｂに示す部材１を上下に組合せた状態をユニット部材１と称する。
図４に示す部材１は、図１に示す部材１と同じ形状であり、上下に柱部を対向させて契合するため柱部の頂部にはオスメスの継手が設けられている。部材１の下面にはユニット部材１として上下に契合するためのメス孔が設けられている。図では部材２の両端上縁部を嵌めるための十字の溝は示していないが、必要なら柱部の間に設けることができる。図では柱部は直方体であり、柱部と柱部が形成する隙間に平板状の部材２の両端が嵌るようになっている。
【００１５】
図４ｄに示す部材２は平板状であり、その厚みは部材１の柱部と柱部が形成する隙間と部材１の下面に設けた溝に嵌る厚みに設定されている。部材２の端部下方は直角に切欠かれ、切欠かれた各一端が２つの上下に間隔を置いて存在する部材１の柱部間の隙間に嵌るように挿入される。部材２の下方の短い部分が、部材１が形成する柱間距離を定める固定部となる。
【００１６】
図５は、部材１と部材２との組合せの五番目の例を示す。
図５ａは、上面から見た部材１の平面図およびＡ−Ａ‘での断面図である。
図５ｂは、部材1の柱部を上下に対向して組合せた状態を示す断面図である。
図５ｃは、部材１を上下に契合するための継手の例を示す。
図５ｄは、部材２の平面図および断面図である。
以下図５ｂに示す部材１を上下に組合せた状態をユニット部材１と称する。
図５に示す部材１は、図２に示す部材１と同じ形状であり、上下に柱部を対向させて契合するため柱部の頂部にはオスメスの継手が設けられている。部材１の下面にはユニット部材１として上下に契合するためのメス孔が設けられている。図では部材２の両端上縁部を嵌めるための十字の溝は示していないが、必要なら柱部の間に設けることができる。図では柱部は直方体であり、柱部と柱部が形成する隙間に平板状の部材２の両端が嵌るようになっている。
【００１７】
図５ｄに示す部材２は平板状であり、その厚みは部材１の柱部と柱部が形成する隙間と部材１の下面に設けた溝に嵌る厚みに設定されている。部材２の各一端が２つの上下に間隔を置いて存在する部材１の柱部間の隙間に嵌るように挿入される。部材１の中心に設けた柱部が、部材１が形成する柱間距離を定める固定部となる。
【００１８】
図６は、部材１と部材２との組合せの六番目の例を示す。
図６ａは、上面から見た部材１ａの斜視図、平面図およびＡ−Ａ‘での断面図である。
図６ｂは、下面から見た部材１ａの斜視図、平面図およびＡ−Ａ‘での断面図である。
図６ｃは、上面から見た部材１ｂの斜視図、平面図およびＡ−Ａ‘での断面図である。
図６ｄは、下面から見た部材１ａの斜視図、平面図およびＡ−Ａ‘での断面図である。
図６ｅは、部材２の平面図および断面図である。
本部材１は部材１ａと部材１ｂとの組合せとなる。
部材１ａは、図に示すように、盤体の上面より４本の柱部が中心を対称にしてＸ、Ｙ方向に配列され、下面には部材２の端部が嵌合するための溝が十字に設けられている。中心部は貫通孔となり、図では本貫通孔は、柱部間の中間まで広がって契合用貫通孔となっている。
部材１ｂは、図に示すように、盤体であり、上面は部材１ａの下面と同じ形状を有している。中心部は貫通孔となり、図では本貫通孔は、柱部間の中間まで広がって契合用貫通孔となっている。
部材１ｂの下面は部材１ａの柱部頂部が嵌る凹部が設けられ、部材１ａの柱部頂部とともに部材１を上下に重ねる契合部となっている。
【００１９】
部材２は、図に示すように平板状であり、その両端に部材１ａの下面に設けた溝と部材１ｂの上面に設けた溝の間に嵌る嵌合部と柱部間の中間まで広がる契合用貫通孔に契合する契支部が設けられている。本契支部が、部材１が形成する柱間距離を定める固定部となる。
【００２０】
以下本部材１および部材２を用いた空間形成物の形成に付き説明する。
図７、図８はその手順と形成された空間形成物を示す概念図である。
図８ａは第１段目の平面図と側面図であり、図８ｂは複数段積み重ねた側面図を示す。
図７は、図１に示す部材１および部材２を用いた最初の組立て手順を斜視図で示している。
部材１を並べ、その柱部間の隙間に部材２の両端を嵌める。部材１間の縦横の間隔は部材２の切り欠かれた下部長さに設定される。図８に示すように第１段目が形成された後部材１を部材１の下面に設けた凹部および溝を柱部および部材２の端部上縁部に合せ嵌め合せる。
【００２１】
図９、図１０はその手順と形成された空間形成物を示す概念図である。
図１０ａは第１段目の平面図と側面図であり、図１０ｂは複数段積み重ねた側面図を示す。
図９は、図２に示す部材１および部材２を用いた最初の組立て手順を斜視図で示している。
部材１を並べ、その柱部間の隙間に部材２の両端を嵌める。部材１間の縦横の間隔は相対向する部材１に設けた中心の柱部間の長さと部材２の長さが等しくなるよう設定される。図９に示すように第１段目が形成された後、部材１を部材１の下面に設けた凹部および溝を柱部および部材２の端部上縁部に合せ嵌め合せる。
【００２２】
図１１は、図３に示す部材１および部材２を用いた最初の組立て手順を斜視図で示している。
部材１を並べ、その柱部間の隙間に部材２の両端を嵌める。同時に部材２の両端下部に設けた突部を契合用貫通孔に嵌める。部材１間の縦横の間隔は相対向する部材１に設けた相対向する柱部の後面間の長さと部材２の長さが等しくなるように設定される。図１１に示すように第１段目が形成された後、部材１を部材１の下面に設けた凹部および溝を柱部頂部および部材２の端部上縁部に合せ嵌め合せる。
なお、空間形成物の第一段目、および複数段積み重ねた状態は図８、図１０と似た形状となるので表示しない。
【００２３】
図１２、図１３は図４、図５に示したユニット部材１と部材２を用いた最初の組立て手順を斜視図で示している。図１４は、図４に示したユニット部材１と部材２を用いて形成された空間形成物を示す概念図である。図１４ａは、第一段目の平面図および側面図である。図５に示したユニット部材１を用いた空間形成物の表示は図１４の場合と同様であるので表示しない。
図に示すように、部材１を配置し、部材２の端部を柱部間の隙間に挿入する。第１段目が形成された後、部材１を、柱部を対向した状態で組合せユニット部材１を形成する。ユニット部材１の上に更に部材１を、盤体同士を合わせるように継手を用いて契合する。部材２の下方の短い部分が、部材１が形成する柱間距離を定める固定部となる。
【００２４】
図１５、図１６は図６に示した部材１ａ部材１ｂと部材２を用いた最初の組立て手順を斜視図で示している。図１６は、図６に示した部材１ａと部材１ｂと部材２を用いて形成された空間形成物を示す概念図である。
部材１ａと部材１ｂに設けた溝と契合用貫通孔に部材２の嵌合部と契支部とを嵌合させる。第１段目が形成された後、部材１ｂを載せ、下面の凹部を部材１ａの柱部の頂部に嵌合させる。同じ作業を継続する。
本図では壁を形成する場合を示していないが、図２、図５に示す形状の部材２を柱部間の隙間にその端部を挿入することで形成が可能である。図１６では、天井部を形成するため垂直の梁、壁を挿入した図としている。
【００２５】
図１７から図１９は天井部を形成した状態を示している。いずれも、垂直な梁の上に正方形の平板を天井板として載置している。
【００２６】
部材２は平板状であるが、その形状は使用する分野に応じ形状を変えることができる。例えば空間形成物中で水の移動が自由にできるよう、適宜透孔を設ける、リブで構成する、あるいは梁・壁となる部分の幅の長さを変更して、梁と梁の間のあるいは壁と壁の間の隙間を拡大あるいは縮小することができる。
【００２７】
以下本空間形成物の利用分野に付き説明する。
図２０は、図１７に示す空間形成物の側面、底部、上部をシート類で覆い、地下に埋設し雨水等の一時貯留を目的とする水槽として利用する例を示している。
図２０に示すように必要な付帯設備とし、泥だめ枡、流入管、溢流管、あるいはオリフィスますを配置して利用する。
【００２８】
図２１は、図１７に示す空間形成物の側面、底部、上部を透水シートで覆い、河川あるいは湖沼の近くの地下に埋設し、ヘドロを充填し、透水シートを介して水分を浸透させヘドロ中に含まれる水分を減少させる目的に使用する。上部を公園、駐車場などとして利用可能なため、水分が減少するまでの時間を得ることができる。
【００２９】
図２２は防空壕、坑道跡などの空洞部が時間の経過とともに老朽化して崩壊の危険がある場合それを防止するための手段である。
図２２ａは、図８ａに示す第一段目において、部材１の盤体を利用して床板を張った状態を示す平面図およびＡ−Ａ‘線での断面図である。図２２ｂは、複数壇積み上げた状態を示す断面図である。このような状態に空間形成物を形成することにより、図２２ｃに示すように、空洞内に本空間形成物を形成し、その周囲をシートで覆い、空洞部とシートの間の空間にコンクリートミルクなどを充填し、空洞部の崩壊を防止するものである。
【産業上の利用可能性】
【００３０】
雨水の流出抑制施設である貯留槽、浸透槽としてあるいはヘドロを長期間にわたって貯留し、徐々に水分を減少させる施設として利用可能である。
【符号の説明】
【００３１】
１  部材１
２  部材２
３  部材１ａ積み重ね
４  部材１ｂ
５  ユニット部材１
１１  柱部
１２  凹部
１３  溝
１４  貫通孔
１５  契合用貫通孔
２１  突部
２２  嵌合部
２３  契支部
６  柱
７  梁・壁
８  天井板・床板
【図１】
2012036714.tif 000003
【図２】
2012036714.tif 000004
【図３】
2012036714.tif 000005
【図４】
2012036714.tif 000006
【図５】
2012036714.tif 000007
【図６】
2012036714.tif 000008
【図８】
2012036714.tif 000009
【図１０】
2012036714.tif 000010
【図１４】
2012036714.tif 000011
【図１６】
2012036714.tif 000012
【図１７】
2012036714.tif 000013
【図１８】
2012036714.tif 000014
【図１９】
2012036714.tif 000015
【図２２】
2012036714.tif 000016
【図７】
2012036714.tif 000017
【図９】
2012036714.tif 000018
【図１１】
2012036714.tif 000019
【図１２】
2012036714.tif 000020
【図１３】
2012036714.tif 000021
【図１５】
2012036714.tif 000022
【図２０】
2012036714.tif 000023
【図２１】
2012036714.tif 000024